(57)【特許請求の範囲】
【請求項１】
収容凹部が軸方向へ設けられたハウジングと、
このハウジング内に軸方向へ移動可能に収容され、半径方向へ変位可能な弾性片を有するスリーブと、
前記収容凹部内に収容され、前記スリーブを前記収容凹部から突出させるように付勢する付勢部材と、
前記収容凹部を閉成する状態で一部が前記スリーブ内へ挿入され、回転可能な軸体と、
この軸体と前記スリーブとを相対的に一方向へ回転させる回転付勢部材と、
前記弾性片の変位端側の内周に設けられた第１ロックピン、前記スリーブの内周に設けられた第１衝合壁、前記軸体の前記ハウジング内へ挿入される外周に設けられ、前記第１ロックピンの先端が辿る第１カム溝および前記第１衝合壁が衝合する第１障壁からなるラッチ機構と、
を備える軸ラッチ装置。
【請求項２】
請求項１に記載の軸ラッチ装置において、
前記回転付勢部材の付勢力に抗して前記スリーブと前記軸体とを相対的に他方向へ回転させることにより、前記両付勢部材の付勢力によって前記第１ロックピンが前記第１カム溝の側壁に衝合するとともに、前記第１衝合壁が前記第１障壁に衝合することでロック状態となり、さらに前記スリーブと前記軸体とを相対的に他方向へ回転させることにより、前記第１衝合壁が前記第１障壁と非衝合状態になると、前記両付勢部材の付勢力によって前記第１衝合壁が前記第１障壁の脇を通過してロック解除状態となる、
ことを特徴とする軸ラッチ装置。
【請求項３】
収容凹部が軸方向へ設けられたハウジングと、
このハウジング内に軸方向へ移動可能に収容され、半径方向へ変位可能な弾性片を有するスリーブと、
前記収容凹部内に収容され、前記スリーブを前記収容凹部から突出させるように付勢する付勢部材と、
前記収容凹部を閉成する状態で一部が前記スリーブ内へ挿入され、回転可能な軸体と、
前記弾性片の変位端側の内周に設けられた第１ロックピン、前記スリーブの内周に設けられた第１衝合壁、前記軸体の前記ハウジング内へ挿入される外周に設けられ、前記第１ロックピンの先端が辿る第１カム溝および前記第１衝合壁が衝合する第１障壁からなるラッチ機構とからなり、
前記スリーブと前記軸体とを相対的に他方向へ回転させることと、前記付勢部材の付勢力とによって前記第１衝合壁が前記第１障壁に衝合し、前記第１ロックピンが前記第１カム溝の側壁に衝合することでロック状態となり、さらに前記スリーブと前記軸体とを相対的に他方向へ回転させることにより、前記第１衝合壁が前記第１障壁と非衝合状態になると、前記付勢部材の付勢力によって前記第１衝合壁が前記第１障壁の脇を通過してロック解除状態となる、
ことを特徴とする軸ラッチ装置。
【請求項４】
請求項２または請求項３に記載の軸ラッチ装置において、
前記ラッチ機構は、前記スリーブの内周に設けられた第２ロックピンおよび第２衝合壁、前記軸体の前記ハウジング内へ挿入される外周に設けられ、前記第２ロックピンの先端が辿る第２カム溝および前記第２衝合壁が衝合する第２障壁をも有し、
前記スリーブと前記軸体とを相対的に他方向へ回転させることと、前記付勢部材の付勢力とによって前記第２衝合壁が前記第２障壁に衝合し、前記第２ロックピンが前記第２カム溝の側壁に衝合することでロック状態となり、さらに前記スリーブと前記軸体とを相対的に他方向へ回転させることにより、前記第２衝合壁が前記第２障壁と非衝合状態になると、前記付勢部材の付勢力によって前記第２衝合壁が前記第２障壁の脇を通過してロック解除状態となる、
ことを特徴とする軸ラッチ装置。
【発明の詳細な説明】
【０００１】
【発明の属する技術分野】
この発明は、プッシュ・プッシュ式の軸ラッチ装置に関するものである。
【０００２】
【従来の技術】
従来の、例えばリッドを係止するラッチ装置は、リッドを開放させたときにストライカなどの突出部分をなくすため、回転体の側面に設けられたハート型の部分を有するカム溝と、一端側がケース側に回動可能に取り付けられ、他端側の先端がカム溝を辿るロックピンとで構成される軸ラッチ装置を使用している。
【０００３】
【発明が解決しようとする課題】
従来の軸ラッチ装置は、回転体の側面にカム溝を設けているので、回転体が大型化するため、スペース的に余裕がなければ、使用することができず、使用個所が制約される。
また、ケース側にロックピンを取り付けなければならず、ロックピンを取り付けるのに手間がかかるなどの不都合があった。
【０００４】
この発明は、上記したような不都合を解消するためになされたもので、小型で使用個所が制約されず、取付が簡単に行える軸ラッチ装置を提供するものである。
【０００５】
【課題を解決するための手段】
この発明にかかる軸ラッチ装置は、収容凹部が軸方向へ設けられたハウジングと、このハウジング内に軸方向へ移動可能に収容され、半径方向へ変位可能な弾性片を有するスリーブと、収容凹部内に収容され、スリーブを収容凹部から突出させるように付勢する付勢部材と、収容凹部を閉成する状態で一部がスリーブ内へ挿入され、回転可能な軸体と、この軸体とスリーブとを相対的に一方向へ回転させる回転付勢部材と、弾性片の変位端側の内周に設けられた第１ロックピン、スリーブの内周に設けられた第１衝合壁、軸体のハウジング内へ挿入される外周に設けられ、第１ロックピンの先端が辿る第１カム溝および第１衝合壁が衝合する第１障壁からなるラッチ機構とで構成したものである。
そして、回転付勢部材の付勢力に抗してスリーブと軸体とを相対的に他方向へ回転させることにより、両付勢部材の付勢力によって第１ロックピンが第１カム溝の側壁に衝合するとともに、第１衝合壁が第１障壁に衝合することでロック状態となり、さらにスリーブと軸体とを相対的に他方向へ回転させることにより、第１衝合壁が第１障壁と非衝合状態になると、両付勢部材の付勢力によって第１衝合壁が第１障壁の脇を通過してロック解除状態となる。
【０００６】
また、他の発明にかかる軸ラッチ装置は、収容凹部が軸方向へ設けられたハウジングと、このハウジング内に軸方向へ移動可能に収容され、半径方向へ変位可能な弾性片を有するスリーブと、収容凹部内に収容され、スリーブを収容凹部から突出させるように付勢する付勢部材と、収容凹部を閉成する状態で一部がスリーブ内へ挿入され、回転可能な軸体と、弾性片の変位端側の内周に設けられた第１ロックピン、スリーブの内周に設けられた第１衝合壁、軸体のハウジング内へ挿入される外周に設けられ、第１ロックピンの先端が辿る第１カム溝および第１衝合壁が衝合する第１障壁からなるラッチ機構とで構成したものである。
そして、スリーブと軸体とを相対的に他方向へ回転させることと、付勢部材の付勢力とによって第１衝合壁が第１障壁に衝合し、第１ロックピンが第１カム溝の側壁に衝合することでロック状態となり、さらにスリーブと軸体とを相対的に他方向へ回転させることにより、第１衝合壁が第１障壁と非衝合状態になると、付勢部材の付勢力によって第１衝合壁が第１障壁の脇を通過してロック解除状態となるものである。
【０００７】
さらに、ラッチ機構は、スリーブの内周に設けられた第２ロックピンおよび第２衝合壁、軸体のハウジング内へ挿入される外周に設けられ、第２ロックピンの先端が辿る第２カム溝および第２衝合壁が衝合する第２障壁をも有し、スリーブと軸体とを相対的に他方向へ回転させることと、付勢部材の付勢力とによって第２衝合壁が第２障壁に衝合し、第２ロックピンが第２カム溝の側壁に衝合することでロック状態となり、さらにスリーブと軸体とを相対的に他方向へ回転させることにより、第２衝合壁が第２障壁と非衝合状態になると、付勢部材の付勢力によって第２衝合壁が第２障壁の脇を通過してロック解除状態となるものである。
【０００８】
【発明の実施の形態】
以下、この発明の実施形態を図に基づいて説明する。
図１はこの発明の一実施形態である軸ラッチ装置の分解斜視図、図２はハウジングを示す図、図３はスリーブを示す図、図４はスリーブの各ロックピンおよび各衝合壁の形態および位置関係を示す説明図、図５はカム軸を示す図、図６はカム軸の各カム溝および各障壁の形態および位置関係を示す説明図、図７は組み立てた状態でハウジングおよびスリーブを破断した正面図である。
【０００９】
図２において、（ａ）は上側半分を破断した正面図、（ｂ）は右側面図、（ｃ）は底面図である。
図３において、（ａ）は破断した正面図、（ｂ）は右側面図、（ｃ）は底面図である。
図４において、（ａ）は図３（ｂ）のＡ−Ａ線で破断して展開した側面図、（ｂ）は（ａ）を下側から見た図である。
【００１０】
図５において、（ａ）は上側半分を破断した正面図、（ｂ）は右側面図、（ｃ）は左側面図、（ｄ）は平面図である。
図６において、（ａ）は第２円柱部の周面を展開した側面図、（ｂ）は（ａ）を上側から見た図、（ｃ）は（ｂ）のＣ−Ｃ線で破断して第１カム溝を示す説明図、（ｄ）は（ｂ）のＤ−Ｄ線で破断して第２カム溝を示す説明図である。
【００１１】
これらの図において、１で示す軸ラッチ装置は、合成樹脂で成形したハウジング１１と、合成樹脂で成形したスリーブ２１と、付勢部材としてのコイルスプリング３１と、合成樹脂で成形した軸体としてのカム軸４１とで構成されている。
【００１２】
上記したハウジング１１には、一端が開放した円柱状の収容凹部１２が軸方向へ設けられ、この収容凹部１２の中心を中心として底に、カム軸４１の一部を回転可能に位置決めする位置決め円筒１３が設けられ、収容凹部１２の内周の１８０度の位置にスリーブ２１を軸方向へ案内する２つの案内溝１４が設けられている。
【００１３】
また、ハウジング１１には、開放端の一部に軸方向へ伸びた係合片１５が設けられ、底に位置決め円筒１３の中心を中心とし、位置決め円筒１３の内径よりも小径な円形の貫通孔１６が設けられ、底の外側に、対向する外周の一部が切り欠かれて位置決め円筒１３の中心を中心とし、内径が貫通孔１６よりも大きな小判形の筒部１７が設けられている。
さらに、ハウジング１１の周壁に、スリーブ２１の弾性片２３が半径方向へ変形するのを受容する矩形状の開口１８が設けられている。
【００１４】
上記した、収容凹部１２内に軸方向へ移動可能に収容される円筒形状のスリーブ２１には、外周の１８０度の位置に軸方向へ案内溝１４で案内される２本の突条２２が設けられ、周壁の一部に半径方向へ変位可能な弾性片２３が設けられている。
また、スリーブ２１には、内周にコイルスプリング３１の一端が当接する円弧状をした２つの受け片２４が設けられ、弾性片２３の変位端側の内周に第１ロックピン２５Ａが設けられるとともに、この第１ロックピン２５Ａと軸対称の内周に第２ロックピン２５Ｂが設けられている。
【００１５】
さらに、スリーブ２１には、受け片２３と第１ロックピン２５Ａとの間の内周で、第１ロックピン２５Ａから半径方向へ所定角度ずれた位置に第１衝合壁２６Ａが設けられ、受け片２３と第２ロックピン２５Ｂとの間の内周で、第２ロックピン２５Ｂから半径方向へ所定角度ずれた第１衝合壁２６Ａと軸対称の第２衝合壁２６Ｂが設けられている。
なお、第１および第２ロックピン２５Ａ，２６Ｂの高さは、図４（ａ）に示すように、第１および第２衝合壁２６Ａ，２６Ｂの高さよりも高くされている。
【００１６】
上記したコイルスプリング３１は、収容凹部１２内に収容され、スリーブ３１を収容凹部１２から突出させるように付勢するものである。
【００１７】
上記したカム軸４１は、収容凹部１２を閉成する第１円柱部４２Ａと、この第１円柱部４２Ａと同軸、かつ第１円柱部４２Ａよりも小径で、スリーブ２１内に入る第２円柱部４２Ｂと、第１および第２円柱部４２Ａ，４２Ｂと同軸、かつ第２円柱部４２Ｂよりも小径で、２つの受け片２４の間を貫通して位置決め円筒１３に回転可能に嵌合し、ハウジング１１の底に一端が当接する第３円柱部４２Ｃとで構成されている。
【００１８】
そして、カム軸４１には、一端が第１円柱部４２Ａの側面に開放した挿入穴４３が軸方向へ第３円柱部４２Ｃまで設けられている。
また、第１円柱部４２Ａには、挿入穴４３に連通する嵌合切欠４４が設けられ、外周に、係合片１５と衝合してハウジング１１の回転範囲を規制する係止突起４５が設けられている。
【００１９】
さらに、第２円柱部４２Ｂの外周に、第１ロックピン２５Ａが辿る第１カム溝４６Ａが設けられ、第１カム溝４６Ａの内側部分に第１衝合壁２６Ａが衝合する第１障壁４７Ａが設けられ、第１カム溝４６Ａと軸対称で、第２ロックピン２５Ｂが辿る第２カム溝４６Ｂが設けられるとともに、第１障壁４７Ａと軸対称で、第２カム溝４６Ｂの内側部分に第２衝合壁２６Ｂが衝合する第２障壁４７Ｂが設けられている。
【００２０】
そして、ハウジング１１の底に一端が当接する第３円柱部４２Ｃの当接面に、貫通孔１６を貫通して底の外側に係合する２つの取付片４８が設けられている。４２ｆで示す第２円柱部４２Ｂの側面は、第１および第２ロックピン２５Ａ，２５Ｂを第１または第２カム溝４６Ａ，４６Ｂの入口部分へ案内する案内面となる。
【００２１】
なお、第１カム溝４６Ａは、図６（ｃ）に示すように、入口部分から出口手前まで底が一様な高さとされ、出口手前から底が傾斜して第２円柱部４２Ｂの周面まで上昇して出口となり、出口部分から第１ロックピン２５Ａが進入できないようになっている。
しかし、第２カム溝４６Ｂは、図６（ｄ）に示すように、入口部分から出口部分まで底が一様な高さとされている。
【００２２】
そして、ラッチ機構は、第１および第２ロックピン２５Ａ，２５Ｂと、第１および第２衝合壁２６Ａ，２６Ｂと、第１および第２カム溝４６Ａ，４６Ｂと、第１および第２障壁４７Ａ，４７Ｂとで構成されている。
【００２３】
ここで、組立について説明する。
まず、ハウジング１１の収容凹部１２内へコイルスプリング３１を挿入し、弾性片２３を収容凹部１２の入口側に対応させるとともに、弾性片２３を開口１８に対応させて２つの突条２２を各案内溝１４内へ挿入する。
そして、係合片１５と係止突起４５とを半径方向へずらし、カム軸４１の取付片４８側を収容凹部１２内に位置する受け片２４の間へ挿入し、取付片４８が貫通孔１６の縁に当接したら、カム軸４１を押圧すると、２つの取付片４８は弾性変形して縮閉することにより、貫通孔１６を通過した後に拡開するので、図７に示すように、組み立てることができる。
【００２４】
この組立状態においては、コイルスプリング３１はハウジング１１の底とスリーブ２１の受け片２４との間に装填され、スリーブ２１を収容凹部１２から突出させるように、すなわちスリーブ２１をカム軸４１の第１円柱部４２Ａへ衝合させるように付勢して第１および第２ロックピン２５Ａ，２５Ｂを第２円柱部４２Ｂの側面４２ｆに衝合させている。
そして、第３円柱部４２Ｃの一端は、ハウジング１１の底に当接し、位置決め円筒１３に回転可能に嵌合している。
【００２５】
図８（ａ），（ｂ）は軸ラッチ装置を取り付けた収納箱のリッドを開放させた状態および収納箱のリッドを閉成させた状態を示す斜視図である。
図８において、Ｂで示す収納箱は、一側面が開放した本体ｔと、この本体ｔの開放した一側面を開閉可能に、本体ｔに取り付けられたリッドｉとで構成されている。
そして、リッドｉの一端側は本体ｔに軸で回動可能に軸支され、リッドｉの他端側は、本体ｔに取り付けられたダンパー装置Ｄの回動部分と、このダンパー装置Ｄの係合部が挿入穴４３および嵌合切欠４４に嵌合された軸ラッチ装置１の筒部１７とで支持されている。
【００２６】
なお、ダンパー装置Ｄは、スリーブ２１とカム軸４１とを相対的に一方向へ、すなわちリッドｉを開放方向へ付勢する回転付勢部材であり、例えば特開平７−２３８９７１号公報に開示されているダンパー装置を使用している。
【００２７】
図９（ａ）〜（ｆ）は各ロックピンと各カム溝との位置関係を示す説明図である。
【００２８】
次に、動作について説明する。
なお、図８（ａ）のようにリッドｉが開放している状態では、図７および図９（ａ）に示すように、第１および第２ロックピン２５Ａ，２５Ｂの先端が、カム軸４１を構成する第２円柱部４２Ｂの側面４２ｆにコイルスプリング３１の付勢力で衝合している。
【００２９】
まず、第１および第２ロックピン２５Ａ，２５Ｂが図９（ａ）に示す実線の状態では、図８（ａ）のようにリッドｉが開放しているので、ダンパー装置Ｄの付勢力に抗してリッドｉを閉成させるために回動させ、第１および第２ロックピン２５Ａ，２５Ｂが図９（ａ）の実線の位置から矢印方向へ移動し、二点鎖線で示す第１および第２カム溝４６Ａ，４６Ｂの出口部分まで進むと、第２ロックピン２５Ｂは第２カム溝４６Ｂへ入ることができる状態であるものの、第１ロックピン２５Ａの先端が側面４２ｆに衝合しているので、第１および第２ロックピン２５Ａ，２５Ｂは第１および第２カム溝４６Ａ，４６Ｂへ入ることができず、さらに矢印方向へ進み、図９（ｂ）に示す第１および第２カム溝４６Ａ，４６Ｂの入口部分まで進む。
【００３０】
このように第１および第２ロックピン２５Ａ，２５Ｂが第１および第２カム溝４６Ａ，４６Ｂの入口部分まで進むと、コイルスプリング３１の付勢力によって第１および第２ロックピン２５Ａ，２５Ｂの先端が第１および第２カム溝４６Ａ，４６Ｂ内へ入るので、リッドｉを回動させる押圧力を解除すると、リッドｉがダンパー装置Ｄの付勢力によって開放方向へ回動し、第１および第２ロックピン２５Ａ，２５Ｂの先端が第１および第２カム溝４６Ａ，４６Ｂで案内されるとともに、第１および第２衝合壁２６Ａ，２６Ｂが第１および第２障壁４７Ａ，４７Ｂに衝合することにより、第１および第２ロックピン２５Ａ，２５Ｂの先端が第１および第２カム溝４６Ａ，４６Ｂの側壁に衝合して図９（ｃ）に示すロック状態となり、リッドｉは図８（ｂ）に示す閉成状態を維持する。
【００３１】
この図８（ｂ）に示す閉成状態のリッドｉを開放させるためにダンパー装置Ｄの付勢力に抗してリッドｉを押し込んで回動させ、図９（ｄ）に実線で示すように、第１および第２衝合壁２６Ａ，２６Ｂが第１および第２障壁４７Ａ，４７Ｂに衝合しなくなると、第１および第２衝合壁２６Ａ，２６Ｂはコイルスプリング３１の付勢力によって第１および第２障壁４７Ａ，４７Ｂの脇を通過し、図９（ｄ）に二点鎖線で示す位置、すなわち第１および第２ロックピン２５Ａ，２５Ｂの先端が第１および第２カム溝４６Ａ，４６Ｂの側壁に衝合する位置まで進み、ロック解除状態となる。
【００３２】
このロック解除状態でリッドｉへの押圧力を解除すると、リッドｉがダンパー装置Ｄの付勢力によって開放方向へ回動し、図９（ｅ）に実線および二点鎖線で示すように、第１および第２ロックピン２５Ａ，２５Ｂの先端が第１および第２カム溝４６Ａ，４６Ｂの側壁で案内されることにより、第１および第２衝合壁２６Ａ，２６Ｂは第１および第２障壁４７Ａ，４７Ｂの脇を通過して第１および第２障壁４７Ａ，４７Ｂに衝合しない状態になる。
【００３３】
この後、図９（ｆ）に示すように、第１および第２ロックピン２５Ａ，２５Ｂの先端は、第１および第２カム溝４６Ａ，４６Ｂの側壁で案内され、コイルスプリング３１の付勢力に抗して第１および第２カム溝４６Ａ，４６Ｂから出て側面４２ｆで案内され、図９（ａ）に示す状態となり、リッドｉは図８（ａ）に示す開放状態を維持する。
【００３４】
なお、第１ロックピン２５Ａの先端が第１カム溝４６Ａの側壁で案内されて第１カム溝４６Ａから出るときは、第１ロックピン２５Ａが弾性片２３に設けられているので、弾性片２３が撓むことにより、図６（ｃ）に示すように、第１ロックピン２５Ａは、第１カム溝４６Ａの出口部分を通過することができ、第１カム溝４６Ａの出口部分を乗り越えた後、弾性片２３の弾性によって側面４２ｆに衝合する状態に復帰する。
【００３５】
上述したように、この発明の一実施形態によれば、スリーブ２１と、このスリーブ２１内に入るカム軸４１との間にラッチ機構を設けたので、小型となり、スペース的に余裕のないところでも使用でき、使用個所が制約されなくなる。
また、相対的に回転するハウジング１１、カム軸４１を取り付ければよく、ロックピンを別途取り付ける必要がないので、手間をかけずに簡単に取り付けることができる。
【００３６】
さらに、ロック状態でのストッパを第１および第２衝合壁２６Ａ，２６Ｂと、第１および第２障壁４７Ａ，４７Ｂとで行っているので、確実な作動と、ロック解除ストロークを短くすることができる。
そして、軸対称に第１および第２ロックピン２５Ａ，２５Ｂ、第１および第２衝合壁２６Ａ，２６Ｂ、第１および第２カム溝４６Ａ，４６Ｂ、第１および第２障壁４７Ａ，４７Ｂを配設してラッチ機構を構成したので、偏荷重がかからず、また、一方の組をメインロック用、他方の組をサブロック用とすることにより、ロックおよびロック解除を確実に行わせることができる。
また、カム軸４１をハウジング１１に回転可能に取り付けたので、組み立てた状態で取り扱え、取扱易くなるとともに、取付も簡単に行うことができる。
【００３７】
上記した実施形態では、ハウジング１１に弾性片２３を受容する開口１８を設けたが、変位する弾性片２３を受容できればよいので、凹部であってもよい。
また、スリーブ２１に第１および第２ロックピン２５Ａ，２５Ｂ、第１および第２衝合壁２６Ａ，２６Ｂを設け、カム軸４１に第１および第２カム溝４６Ａ，４６Ｂ、第１および第２障壁４７Ａ，４７Ｂを設けたが、スリーブに第１および第２ロックピン、第１および第２衝合壁を設け、カム軸に第１および第２カム溝、第１および第２障壁を設けても、同様に機能させることができる。
【００３８】
さらに、第１ロックピン２５Ａ、第１衝合壁２６Ａ、第１カム溝４６Ａおよび第１障壁４７Ａで第１ラッチ機構を構成し、第２ロックピン２５Ｂ、第２衝合壁２６Ｂ、第２カム溝４６Ｂおよび第２障壁４７Ｂで第２ラッチ機構を構成して全体的なラッチ機構としたが、第１ラッチ機構のみであっても、同様に機能させることができる。
そして、３つ以上のラッチ機構で全体的なラッチ機構を構成してもよい。
なお、第１カム溝４６Ａの底を出口手前から傾斜させて第２円柱部４２Ｂの周面まで上昇させたが、第１カム溝４６Ａの出口部分から第１ロックピン２５Ａが進入できない高さであればよい。
【００３９】
また、第１および第２カム溝４６Ａ，４６Ｂを入口および出口があるＣ字形状としたが、ハート型などのように無端状につながったカム溝であってもよい。
さらに、ダンパー装置Ｄでスリーブ２１とカム軸４１とを相対的に一方向へ回転させたが、他の回転付勢部材でスリーブ２１とカム軸４１とを相対的に一方向へ回転させてる構成としてもよい。
【００４０】
【発明の効果】
以上のように、この発明によれば、スリーブと、このスリーブ内に入る軸体との間にラッチ機構を設けたので、小型となり、スペース的に余裕のないところでも使用でき、使用個所が制約されなくなる。
また、相対的に回転するハウジング、軸体を取り付ければよく、ロックピンを別途取り付ける必要がないので、手間をかけずに簡単に取り付けることができる。
【００４１】
さらに、ロック状態でのストッパを第１および第２衝合壁と、第１および第２障壁とで行っているので、確実な作動と、ロック解除ストロークを短くすることができる。
そして、第１および第２ロックピン、第１および第２衝合壁、第１および第２カム溝、第１および第２障壁でラッチ機構を構成したので、偏荷重がかからないようにすることができ、また、一方の組をメインロック用、他方の組をサブロック用とすることにより、ロックおよびロック解除を確実に行わせることができる。
【図面の簡単な説明】
【図１】この発明の一実施形態である軸ラッチ装置の分解斜視図である。
【図２】ハウジングを示す図である。
【図３】スリーブを示す図である。
【図４】スリーブの各ロックピンおよび各衝合壁の形態および位置関係を示す説明図である。
【図５】カム軸を示す図である。
【図６】カム軸の各カム溝および各障壁の形態および位置関係を示す説明図である。
【図７】組み立てた状態でハウジングおよびスリーブを破断した正面図である。
【図８】（ａ），（ｂ）は軸ラッチ装置を取り付けた収納箱のリッドを開放させた状態および収納箱のリッドを閉成させた状態を示す斜視図である。
【図９】（ａ）〜（ｆ）は各ロックピンと各カム溝との位置関係を示す説明図である。
【符号の説明】
１      軸ラッチ装置
１１    ハウジング
１２    収容凹部
１３    位置決め円筒
１４    案内溝
１５    係合片
１６    貫通孔
１７    筒部
１８    開口
２１    スリーブ
２２    突条
２３    弾性片
２４    受け片
２５Ａ  第１ロックピン
２５Ｂ  第２ロックピン
２６Ａ  第１衝合壁
２６Ｂ  第２衝合壁
３１    コイルスプリング
４１    カム軸
４２Ａ  第１円柱部
４２Ｂ  第２円柱部
４２Ｃ  第３円柱部
４２ｆ  側面
４３    挿入穴
４４    嵌合切欠
４５    係止突起
４６Ａ  第１カム溝
４６Ｂ  第２カム溝
４７Ａ  第１障壁
４７Ｂ  第２障壁
４８    取付片
Ｄ      ダンパー装置
【図１】
0003618161.tif 000002
【図２】
0003618161.tif 000003
【図３】
0003618161.tif 000004
【図４】
0003618161.tif 000005
【図５】
0003618161.tif 000006
【図６】
0003618161.tif 000007
【図７】
0003618161.tif 000008
【図８】
0003618161.tif 000009
【図９】
0003618161.tif 000010